(57)【特許請求の範囲】
【請求項１】
ケーシング(１)に、電池(５)を収容すべき電池室(２)が形成されると共に、ＩＣカードを装填すべきカードリーダ(８)が設置され、電池室(２)には、電池室(２)からカードリーダ(８)へ向けてＩＣカードを挿入するためのカード挿入口(11)が開口し、該カード挿入口(11)には、ＩＣカードを設置すべきトレイ(３)が、カード挿入口(11)から引き出された引き出し位置と、カード挿入口(11)の奥方へ押し込まれた押し込み位置との間で、往復移動可能に連結されている小型電子機器において、
電池室(２)の底面には、電池(５)が設置されるべき電池設置面(21)の一部を凹ませてトレイ(３)をカード挿入口(11)の奥方へ導くためのスロープ(22)が形成され、該スロープ(22)は、電池設置面(21)と同じ高さ位置からカードリーダ(８)内のトレイ設置面(12)と同じ高さ位置に向かって、カード挿入口(11)側に低く傾斜していることを特徴とする小型電子機器。
【請求項２】
ケーシング(１)の内部には、電池室(２)とは反対側の空間に、複数の電子部品(９)(91)が配備され、スロープ(22)の裏側に形成された楔状の空間には、比較的背の低い電子部品(91)が配置されている請求項１に記載の小型電子機器。
【請求項３】
電池室(２)の底面はラベル(20)によって覆われており、該ラベル(20)には、電池設置面(21)を覆う領域とスロープ(22)を覆う領域との間に切り込み(20a)が入れられている請求項１又は請求項２に記載の小型電子機器。
【発明の詳細な説明】
【技術分野】
【０００１】
本発明は、携帯電話機の如く携帯可能な小型電子機器に関するものである。
【背景技術】
【０００２】
近年、各種の情報を記録するためのＩＣカードを搭載した小型電子機器が開発されており、携帯電話機においては、ＩＣカードの一種であるＳＩＭ(Subscriber  Identity  Module)カードを搭載し、ＳＩＭカードに加入者情報等を書き込むようにしたものが普及している。
【０００３】
この様な携帯電話機においては、ケーシングから電池蓋を取り外し、電池室から電池を取り出すことにより、ＳＩＭカードの脱着が可能となるものが一般的であり、ＳＩＭカードをケーシング内のカードリーダにセットするために、カード挿入口にトレイを連結して、該トレイによってＳＩＭカードをカード挿入口から挿入口奥方のカードリーダまで搬送するようにした携帯電話機が提案されている(特許文献１〜３参照)。
【特許文献１】特開２００４−２２２１７０号公報［H04M 1/02］
【特許文献２】特開２００２−０５７７６７号公報［H04M 1/02］
【特許文献３】特開２００５−３５２５８１号公報［G06K17/00］
【発明の開示】
【発明が解決しようとする課題】
【０００４】
ところで、携帯電話機においては益々小型化、薄型化に対する要求が厳しくなってきおり、ＳＩＭカードを搭載した携帯電話機においては、カードリーダ設置のためのスペースが余分に必要となるため、特に薄型化のための工夫が必要となる。
【０００５】
しかしながら、電池室の内壁にカード挿入口を開設してトレイによってＳＩＭカードをカード挿入口からカードリーダ内へ搬送する携帯電話機においては、カード挿入口は、ＳＩＭカードの出し入れを可能とするべく、電池室の底面よりも高い位置に設ける必要があるため、カードリーダ内におけるトレイの設置面は、電池室の底面よりも高いレベルに設けられることとなり、この結果、カードリーダの位置が押し上げられることとなる。
【０００６】
従って、ＳＩＭカードを搭載した携帯電話機においては薄型化が困難である問題があった。
そこで本発明の目的は、ＳＩＭカード等のＩＣカードを搭載した小型電子機器の薄型化を図ることである。
【課題を解決するための手段】
【０００７】
本発明に係る小型電子機器においては、ケーシング(１)に、電池(５)を収容すべき電池室(２)が形成されると共に、ＩＣカードを装填すべきカードリーダ(８)が設置され、電池室(２)には、電池室(２)からカードリーダ(８)へ向けてＩＣカードを挿入するためのカード挿入口(11)が開口し、該カード挿入口(11)には、ＩＣカードを設置すべきトレイ(３)が、カード挿入口(11)から引き出された引き出し位置と、カード挿入口(11)の奥方へ向けて押し込まれた押し込み位置との間で、往復移動可能に連結されている。
【０００８】
電池室(２)の底面には、電池(５)が設置されるべき電池設置面(21)の一部を凹ませてトレイ(３)をカード挿入口(11)の奥方へ導くためのスロープ(22)が形成され、該スロープ(22)は、電池設置面(21)と同じ高さ位置からカードリーダ(８)内のトレイ設置面(12)と同じ高さ位置に向かって、カード挿入口(11)側に低く傾斜している。
【０００９】
上記本発明の小型電子機器においては、電池室(２)から電池を取り出した状態でトレイ(３)を引き出すことにより、トレイ(３)の裏面がスロープ(22)に摺接する。この状態でトレイ(３)上にＩＣカードを設置し、トレイ(３)をカード挿入口(11)の奥方へ向けて押し込む。
これによって、トレイ(３)は、スロープ(22)上を摺動し、スロープ(22)からカードリーダ(８)内のトレイ設置面(12)上に移動して、トレイ(３)の裏面がトレイ設置面(12)と摺接することになる。
この結果、トレイ(３)上のＩＣカードが所定位置にセットされて、該ＩＣカードの電極がカードリーダ(８)の端子と接触して、データの読み出し、書き込みが可能となる。
【００１０】
上記本発明の小型電子機器によれば、トレイ(３)がスロープ(22)により案内されて下降しつつカード挿入口(11)の奥方へ摺動し、カードリーダ(８)内のトレイ設置面(12)上まで移動するので、カード挿入口(11)を電池設置面(21)よりも低い位置に設け、更にカードリーダ(８)内のトレイ設置面(12)を電池設置面(21)よりも低いレベルに設けることが出来る。この結果、カードリーダ(８)をより低い位置に配備することが可能となる。
【００１１】
具体的構成において、ケーシング(１)の内部には、電池室(２)とは反対側の空間に、複数の電子部品(９)(91)が配備され、スロープ(22)の裏側に形成された楔状の空間には、比較的背の低い電子部品(91)が配置されている。
該具体的構成によれば、スロープ(22)によって形成された楔状の狭い空間に、比較的背の低い電子部品(91)を配備する一方、電池設置面(21)の裏側に形成された広い空間に、比較的背の高い電子部品(９)を配備することにより、空間を有効に活用することが出来る。
【００１２】
又、他の具体的構成において、電池室(２)の底面はラベル(20)によって覆われており、該ラベル(20)には、電池設置面(21)を覆う領域とスロープ(22)を覆う領域との間に切り込み(20a)が入れられている。
該具体的構成によれば、ラベル(20)を電池室(２)の底面の略全域を覆う大きさに形成することが出来るので、該ラベル(20)に多くの文字を印刷することが可能となる。
【発明の効果】
【００１３】
本発明に係る小型電子機器によれば、カードリーダ(８)内のトレイ設置面(12)を電池設置面(21)よりも低いレベルに設けて、カードリーダ(８)をより低い位置に配備することにより、スロープ(22)の降下距離だけ機器の薄型化を図ることが出来る。
【発明を実施するための最良の形態】
【００１４】
以下、本発明を折り畳み式携帯電話機に実施した形態につき、図面に沿って具体的に説明する。
本発明に係る折り畳み式携帯電話機は、操作側のケーシングと表示側のケーシングをヒンジ機構により連結して構成され、図２及び図３に示す如く操作側のケーシング(１)の背面には、扁平な直方体状の電池(５)を収容すべき電池室(２)が凹設され、該電池室(２)は、着脱可能な電池蓋(図示省略)により覆われている。
【００１５】
図２に示す如く、電池(５)には、その後方端面(50)に複数の電極(51)(51)が設けられている。尚、これらの電極(51)(51)は、電池(５)の後方端面(50)の内、電池(５)の背面側に片寄った領域に配備されており、その反対側の端面領域、即ち電池(５)の表面側に片寄った領域には、凹部(52)が形成されている。
一方、ケーシング(１)には、図３に示す如く、電池(５)の後方端面と対向する位置に、前記電池(５)の電極(51)(51)と接触して電力を取り出すための複数本の給電ピン(６)(６)が突設されている。
【００１６】
又、ケーシング(１)の内部には、図７(ａ)(ｂ)(ｃ)に示す如く、ＳＩＭカード(４)を装填すべきカードリーダ(８)が設置され、電池室(２)には、電池室(２)からカードリーダ(８)へ向けてＳＩＭカード(４)を挿入するためのカード挿入口(11)が、電池室(２)へ向けて開口している。
【００１７】
ケーシング(１)のカード挿入口(11)には、ＳＩＭカード(４)を設置すべきトレイ(３)が、図１に示す如くカード挿入口(11)から引き出された引き出し位置と、図２に示す如くカード挿入口(11)の奥方へ押し込まれた押し込み位置との間で、往復移動可能に連結されている。
【００１８】
図２に示す如く、電池室(２)の底面には、電池(５)が設置されるべき電池設置面(21)が形成され、カード挿入口(11)の近傍領域には、電池設置面(21)の端部の矩形領域を凹ませてスロープ(22)が形成されている。
該スロープ(22)は、図４〜図６に示す様に、電池設置面(21)と同じ高さ位置からカードリーダ(８)内のトレイ設置面(12)と同じ高さ位置に向かって、カード挿入口(11)側に低く所定角度θ(約２°)で傾斜している。
これによって、電池室(２)の底面は、平坦な電池設置面(21)と所定角度で傾斜するスロープ(22)とから形成されることになる。
【００１９】
図７(ａ)に示す如く、カードリーダ(８)の内部には、トレイ(３)の収容室Ｓが形成され、該収容室Ｓには、ＳＩＭカード(４)の電極と接触すべき端子(７)が配置されている。又、収容室Ｓの底面には、押し込み位置のトレイ(３)の裏面が摺接すべきトレイ設置面(12)が形成されている。
【００２０】
図６に示す如く、ケーシング(１)の内部には、電池設置面(21)の裏側の空間に、複数の電子部品(９)(91)が配備されており、この中で比較的背の低い電子部品(91)は、スロープ(22)によって形成された楔状空間の天井の低い領域に配備されている。一方、比較的背の高い電子部品(９)は、スロープ(22)によって形成された楔状空間の天井の高い領域から電池設置面(21)側の広い領域にかけて配備されている。
【００２１】
又、図２及び図３に示す如く、電池室(２)の底面はその全領域がラベル(20)によって覆われており、該ラベル(20)には、電池設置面(21)を覆う領域とスロープ(22)を覆う領域との間に切り込み(20a)が入れられ、これによって電池設置面(21)とスロープ(22)との間の段差が吸収されている。そして、該ラベル(20)の表面には、メーカ名や仕様等を表わす文字が印刷されている。
【００２２】
上記折り畳み式携帯電話機においては、ケーシング(１)の電池蓋を取り外し、更に電池室(２)内の電池(５)を取り出した状態で、図７(ｂ)の如くトレイ(３)を引き出す。これによって、該トレイ(３)の裏面がスロープ(22)に摺接し、該トレイ(３)は、スロープ(22)の傾斜角度に応じた傾斜姿勢に支持されることになる。
この状態でトレイ(３)上にＳＩＭカード(４)を設置した後、図７(ｃ)の如くトレイ(３)を押し込むと、ＳＩＭカード(４)を搭載したトレイ(３)は、スロープ(22)に案内されてカード挿入口(11)の奥方へ侵入し、この過程で前記傾斜姿勢から徐々に水平姿勢となる。そして、トレイ(３)の裏面全域がトレイ設置面(12)に対向した状態で、該トレイ(３)上のＳＩＭカード(４)も水平姿勢となって、その表面に設けられた電極(図示省略)がカードリーダ(８)の端子(７)に押し付けられることになる。
【００２３】
ＳＩＭカード(４)を取り外す際は、図７(ｂ)の如くトレイ(３)をカード挿入口(11)から引き出す。これによって、トレイ(３)は、トレイ設置面(12)上からスロープ(22)上に移行して、該トレイ(３)上のＳＩＭカード(４)の取り出しが可能となる。
【００２４】
上記折り畳み式携帯電話機においては、図６の如く、スロープ(22)の形成によって、カードリーダ(８)内のトレイ設置面(12)が電池設置面(21)よりも低いレベルに設けられており、これによって、カードリーダ(８)は、スロープ(22)の傾斜に伴う降下距離(例えば０.４ｍｍ程度)だけ低い位置に配備されている。この結果、スロープ(22)の降下距離だけケーシング(１)の薄型化が図られている。
【００２５】
又、図６の如く、スロープ(22)の裏側の狭い空間を有効に活用して複数の電子部品(９)(91)が配備されており、これによって部品集積密度が上げられている。
又、電池設置面(21)及びスロープ(22)を覆って貼付されている大型のラベル(20)により、ラベル(20)に表示し得る情報量の増大が図られている。
【００２６】
更に又、図２及び図３に示す様に、電池(５)の後方端面(50)には、電極(51)(51)とは反対側の端部領域に凹部(52)が形成されているため、電池(５)を表裏逆の姿勢で電池室(２)に誤挿入したとしても、ケーシング(１)に突設されている給電ピン(６)(６)は電池(５)の凹部(52)に収容されることとなり、給電ピン(６)(６)が損傷する虞はない。
【図面の簡単な説明】
【００２７】
【図１】本発明に係る折り畳み式携帯電話機においてトレイからからＳＩＭカードを取り外した状態を示す斜視図である。
【図２】該折り畳み式携帯電話機において電池室から電池を取り出した状態を示す斜視図である。
【図３】同上の状態を異なる方向から見た斜視図である。
【図４】操作側のケーシングの背面図である。
【図５】図４のＡ−Ａ線に沿う断面図である。
【図６】図５のＢ部を拡大して示す断面図である。
【図７】トレイの押し込み状態、引き出し状態及びカード装填状態を示す断面図である。
【符号の説明】
【００２８】
(１)  ケーシング
(11)  カード挿入口
(12)  トレイ設置面
(２)  電池室
(20)  ラベル
(21)  電池設置面
(22)  スロープ
(３)  トレイ
(４)  ＳＩＭカード
(５)  電池
(51)  電極
(52)  凹部
(６)  給電ピン
(７)  端子
(８)  カードリーダ
【図１】
0004563962.tif 000002
【図２】
0004563962.tif 000003
【図３】
0004563962.tif 000004
【図４】
0004563962.tif 000005
【図５】
0004563962.tif 000006
【図６】
0004563962.tif 000007
【図７】
0004563962.tif 000008